(57)【要約】【課題】弁を使用せず、簡単な構成でほこりの堆積を防止できる就寝装置を提供すること。【解決手段】就寝装置は、前部が開口しているカバー手段、カバー手段の開口部を覆う柔軟な前垂れ手段、カバー内部の空気の温度および湿度を制御する空調手段とを備え、空調手段は、内部から吸引した空気を再びカバー手段の内部に送出する送風手段、吸引した空気の加熱手段、送風手段とは独立した外気導入手段、カバー内部の温度および湿度を測定する測定手段、測定結果に基づいて加熱手段および外気導入手段を制御する制御手段を備える。外気の導入に従来のような弁機構を使用せず、外気導入手段であるファンのみを制御すればよいので、空調装置の構造が簡単で部品点数も少なく、制御回路や制御方式も簡単になる。【選択図】図１
2012231820.tif 000002
【特許請求の範囲】
【請求項１】
内部に少なくとも人の胸から下を挿入可能な空間が確保され、前部が開口しているカバー手段と、
前記カバー手段の少なくとも前記開口部を覆う柔軟な前垂れ手段と、
カバー内部の空気の温度および湿度を制御する空調手段と
を備え、
前記空調手段は、
カバー手段の内部空間から吸引した空気を再びカバー手段の内部空間に送出する送風手段と、
送風手段により送出される空気を加熱する加熱手段と、
前記送風手段とは独立して外気を前記カバー手段の内部空間に導入する外気導入手段と、
カバー手段内部空間の空気の温度および湿度を測定する測定手段と、
前記測定手段による測定結果に基づき、設定された下限温度より測定された前記温度が低い場合には前記加熱手段を駆動し、設定された上限温度より測定された前記温度が高い場合あるいは設定された上限湿度より測定された前記湿度が高い場合には前記外気導入手段を駆動する制御手段と
を備えたたことを特徴とする就寝装置。
【請求項２】
前記加熱手段は前記送風手段の後に設けられたダクトの側面に設けられたパネルヒーターであることを特徴とする請求項１に記載の就寝装置。
【請求項３】
前記ダクトの前記パネルヒーターの対向面には赤外線を吸収する平板素材、シートあるいは塗料が配置されていることを特徴とする請求項２に記載の就寝装置。
【請求項４】
前記パネルヒーターは前記ダクトの上面に配置され、前記ダクトの下面は開閉可能に構成されていることを特徴とする請求項３に記載の就寝装置。
【請求項５】
前記外気導入手段は外気をファンによって前記空調手段の前面および左右の側面から前記カバー手段の内部空間に導入するものであることを特徴とする請求項１に記載の就寝装置。
【請求項６】
更に、前記前垂れ手段の外部に、前記前垂れ手段を覆い、かつ使用者の頭部を収納可能な空間ができ、かつ通気性のある布製の頭部カバー手段を設けたことを特徴とする請求項１に記載の就寝装置。
【発明の詳細な説明】
【技術分野】
【０００１】
本発明は就寝装置に関し、特に布団を使用しない就寝装置に関するものである。
【背景技術】
【０００２】
従来、一般的に使用されている布団は温度や湿度の調節機能がなく、毎日の気温や湿度の変化によって、寒すぎたり、暑すぎたり、あるいは汗が乾かないことによる不快感で安眠できないという問題点があった。そこで、温度や湿度の調節が可能な就寝装置として、例えば本願発明者が出願した下記特許文献１にはカバー体の内部に調和空気を供給する就寝装置が記載されている。
【先行技術文献】
【特許文献】
【０００３】
【特許文献１】特許第４６６０１５７号公報
【発明の概要】
【発明が解決しようとする課題】
【０００４】
前記したような従来の就寝装置においては、外気を導入する方法として内部空気の循環用ファンの前段に外気を導入するための弁を設け、循環用ファンの吸引力を利用して外気を導入していた。しかし、従来の就寝装置においては、弁およびモーターを使用した駆動機構の構造や制御回路が複雑となる、弁の移動時に音が発生する、弁にほこりが堆積するなどの問題点があった。更に、従来の就寝装置においてはヒーターとして例えばニクロム線を使用していたが、ヒーター周辺にほこりが堆積するという問題点もあった。本発明の目的は、前記のような従来技術の問題点を解決し、弁を使用せず、簡単な構成でほこりの堆積を防止できる就寝装置を提供することにある。
【課題を解決するための手段】
【０００５】
本発明の就寝装置は、内部に少なくとも人の胸から下を挿入可能な空間が確保され、前部が開口しているカバー手段と、前記カバー手段の少なくとも前記開口部を覆う柔軟な前垂れ手段と、カバー内部の空気の温度および湿度を制御する空調手段とを備え、前記空調手段は、カバー手段の内部空間から吸引した空気を再びカバー手段の内部空間に送出する送風手段と、送風手段により送出される空気を加熱する加熱手段と、前記送風手段とは独立して外気を前記カバー手段の内部空間に導入する外気導入手段と、カバー手段内部空間の空気の温度および湿度を測定する測定手段と、前記測定手段による測定結果に基づき、設定された下限温度より測定された前記温度が低い場合には前記加熱手段を駆動し、設定された上限温度より測定された前記温度が高い場合あるいは設定された上限湿度より測定された前記湿度が高い場合には前記外気導入手段を駆動する制御手段とを備えたことを主要な特徴とする。
【０００６】
また、上記した就寝装置において、前記加熱手段は前記送風手段の後に設けられたダクトの側面に設けられたパネルヒーターである点にも特徴がある。また、上記した就寝装置において、前記ダクトの前記パネルヒーターの対向面には赤外線を吸収する平板素材、シートあるいは塗料が配置されている点にも特徴がある。
【０００７】
また、上記した就寝装置において、前記パネルヒーターは前記ダクトの上面に配置され、前記ダクトの下面は開閉可能に構成されている点にも特徴がある。また、上記した就寝装置において、前記外気導入手段は外気をファンによって前記空調手段の前面および左右の側面から前記カバー手段の内部空間に導入するものである点にも特徴がある。また、上記した就寝装置において、更に、前記前垂れ手段の外部に、前記前垂れ手段を覆い、かつ使用者の頭部を収納可能な空間ができ、かつ通気性のある布製の頭部カバー手段を設けた点にも特徴がある。
【発明の効果】
【０００８】
本発明によれば以下のような効果がある。
（１）外気の導入に従来のような弁機構を使用せず、ファンのみを制御すればよいので、空調装置の構造が簡単で部品点数も少なく、制御回路や制御方式も簡単になる。
（２）平面状のパネルヒーターを使用することによってダクト内に突起物等が無くなり、ほこりが堆積し難くなる。また、堆積したほこりの除去も簡単にできる。
（３）パネルヒーターはニクロム線と比べて高温になり難いので、安全性が向上する。
【０００９】
（４）従来の弁方式では弁の開閉時にモーター音、摺動音等が発生し、睡眠の妨げとなっていたが、本発明の方式においては外気導入時に白色雑音に近い外気用ファンの音が発生するだけであり、循環用ファンの音は常時発生しているので、外気用ファンの音はあまり気にならず、睡眠が妨げられない。
（５）従来の弁方式では内部温度、湿度のセンサーをフィルターの内部に設置すると、弁を開けた場合に外気の影響を受け、正確な測定ができなかったが、本発明の方式においては内部温度、湿度を計測するセンサーをフィルターの内部に設置しても正確な測定が可能である。
【００１０】
（５）更に、頭部カバーを追加することにより、頭部も適度な保温、加湿が可能である。
【図面の簡単な説明】
【００１１】
【図１】図１は本発明の就寝装置の使用時の構成を示す側面図である。
【図２】図２は本発明の就寝装置の空調装置の外観を示す平面図および側面図である。
【図３】図３は本発明の就寝装置の空調装置の実施例１の内部構成を示す平面図および断面図である。
【図４】図４は本発明の就寝装置の空調装置の実施例２の内部構成を示す平面図および断面図である。
【図５】図５は本発明の就寝装置の制御装置の構成を示すブロック図である。
【図６】図６は本発明の就寝装置の制御装置の処理内容を示すフローチャートである。
【図７】図７は本発明の就寝装置の実施例３の使用時の構成を示す平面図および側面図である。
【発明を実施するための形態】
【００１２】
以下、本発明の実施の形態を詳細に説明する。
【実施例１】
【００１３】
図１は、本発明の就寝装置の第１実施例の使用時の構成を示す側面図である。なお、図１（ｂ）は、前垂れ部材１３を外して前部から見た場合の図であり、図１（ｃ）は後部から見た場合の図である。第１実施例の就寝装置は、概ね前部カバー１０と後部カバー１１とに２分割されたカバー装置からなる。
【００１４】
前部カバー１０の前部の開口部には前垂れ部材１３が装着されており、後部カバー１１の後部中央上側には空調装置１２が装着され、最後部（底部）には底板１４が装着されている。底板１４からは空調装置１２の後部（換気口１６）が外部に露出しており、電源コード１５が装着されている。
【００１５】
前部カバー１０と後部カバー１１のそれぞれの側面と上面および底板１４は軽い気密、断熱部材により構成されている。前部カバー１０は後部カバー１１と隙間無く、かつ摺動可能に係合しており、前部カバー１０を前後に摺動させることにより、カバー全体の長さを利用者１８の身長に合わせて調節可能である。
【００１６】
前垂れ部材１３は、前部カバー１０の前部の開口部と利用者１８の体との隙間を封止するための部材であり、例えば毛布やキルティング材など、柔軟で断熱性があり、肌触りのよい材料により製作される。なお、前垂れ部材と同じ素材で、前部カバー１０と後部カバー１１のそれぞれの側面および上面、後部カバー１１の最後部（底板）を作成してもよい。例えば敷布団のような弾力性のあるマット上に本発明の就寝装置を設置した場合、内部空間はほぼ閉じた状態となる。
【００１７】
図２は、本発明の就寝装置の空調装置１２の外観を示す平面図および側面図である。図２（ａ）は、空調装置１２を前方から見た場合の図であり、図２（ｂ）は、空調装置１２を後方から見た場合の図である。また、図２（ｃ）は、空調装置１２を横から見た場合の図であり、図２（ｄ）は、空調装置１２を下から見た場合の図である。
【００１８】
図２（ａ）に示す空調装置１２の前面には循環用の４つの吹き出し口２０〜２３、温度調節用可変抵抗器（温度調節つまみ）２６、内部電源スイッチ２４、内部ＬＥＤ２５が配置されており、吹き出し口２０〜２３の上部には複数の小さい前面外気吹き出し口３５が設けられている。吹き出し口２０〜２３は風向を調節可能に構成されており、例えば吹き出し口２０、２１は前方へ、吹き出し口２２、２３は下方へ吹き出すように方向を調節して使用する。
【００１９】
図２（ｂ）に示す空調装置１２の背面には換気口１６を覆うフィルタ２８、放熱用ファン２７、湿度調節用可変抵抗器（湿度調節つまみ）２９、外部電源スイッチ３０、外部ＬＥＤ３１、通信用コネクタ３２が配置されている。図２（ｃ）に示す空調装置１２の側面上部には複数の小さい側面外気吹き出し口３６が配置されている。図２（ｄ）に示す空調装置１２の下面にはカバー内部の空気の吸気口を覆うフィルタ３３、開閉可能なダクトカバー４６が配置されている。
【００２０】
図３は、本発明の就寝装置の空調装置の実施例１の内部構成を示す平面図および断面図である。吸引されてフィルタ３３を通過したカバー内の空気は循環用のクロスフローファン４０によって送出され、ダクト３７内のパネルヒーター４１によって加熱されて、吹き出し口２０〜２３から再びカバー内に吹き出す。また、外気導入用ファン５０が稼働している場合には、外気がフィルタ２８の半分を通って流入し、前面外気吹き出し口３５および側面外気吹き出し口３６からカバー内部へ吹き出す。なお、流入した外気量に相当するカバー内部の空気は例えばカバーと利用者の隙間などからカバーの外部へ放出される。
【００２１】
空調装置１２内部における外気の導入経路と内部空気の循環経路とは完全に隔離（独立）されており、お互いに空気は流通しない。従って、循環用ファン４０は常時駆動されているが、カバー内部の気圧と外部との気圧は等しく、かつ外気の導入経路に流体抵抗があるので、外気導入用のファン５０が停止している時には外気が流入したり、あるいは内部の空気が逆流することは殆どない。なお、図３においては外気導入用ファン５０として軸流ファンが２個記載されており、並列接続して使用するが、個数は任意であり、クロスフローファンあるいはシロッコファンであってもよい。
【００２２】
制御装置４３は、カバー内温度センサ４７、湿度センサ４８、外気温度センサ４９、過熱検出用温度センサ４５等から測定値等を入力し、パネルヒーター電力、循環用クロスフローファン電力、外気導入用ファン電力等を制御する。なお、制御装置４３を冷却するための放熱ファン２７が設けられており、フィルタ２８の半分から吸い込まれた外気が放熱ファン２７によって外部に放出される。
【００２３】
パネルヒーター４１はクロスフローファン４０と吹き出し口２０〜２３とをつなぐダクト３７の上面全体に配置され、循環する空気を加熱する。ダクト３７上面とパネルヒーターとの間には断熱板４２および過熱検出用の温度センサ４５が配置されている。ダクト３７の下面は開閉可能な蓋４６が装着されており、蝶番３９によって空調装置１２の下面に回動可能に固着されている。そして、ネジ３８を外すことにより下方に開く。蓋４６のパネルヒーター４１と対向する内面には赤外線を吸収する例えば黒色の平板素材、シートあるいは塗料が配置あるいは塗布されている。
【００２４】
図５は、本発明の就寝装置の制御装置の構成を示すブロック図である。ＣＰＵ７０は、ＣＰＵ、ＲＡＭ、ＲＯＭ、デジタルおよびアナログ入力ポート、デジタル出力ポート、タイマ回路等を備えた１チップマイクロコンピュータである。このような１チップマイクロコンピュータは周知であり、必要な機能を備えた任意のものを採用可能である。
【００２５】
温度センサ４５、４７、４９は、例えば温度に対応した電圧を出力する公知の温度センサ、例えばナショナルセミコンダクター（登録商標）のLM35DZを使用可能である。湿度センサ４８としては例えばＴＤＫ（登録商標）の湿度センサCHS-UGSを採用可能である。オペアンプを使用した周知の直流増幅回路７３はセンサの出力電圧をＣＰＵが内蔵するＡ／Ｄ変換器のフルスケールに合うようにセンサの出力電圧を増幅し、ＣＰＵ７０のアナログ入力端子に出力する。
【００２６】
目標温度および目標湿度設定用可変抵抗器２６、２９の出力はＣＰＵ７０のアナログ入力端子に接続されている。ゼロクロス検出回路７２は、例えばブリッジ整流回路およびフォトカプラを使用して商用電源のゼロクロスを検出し、ＣＰＵ７０のデジタル入力ポートへ所定の長さのパルスを出力する。ＣＰＵ７０は後述する割り込み処理によってゼロクロスを検出する。放熱用ファンモータ２７は電源オン中は常時稼働している。
【００２７】
インダクションモータである循環用クロスフローファンモータ４０および外気導入用ファンモーター５０は、フォトトライアックを使用した公知のソリッドステートリレー（ＳＳＲ）回路８０、８１を介してオンオフ制御されるか、あるいはＡＣ１００Ｖが所望の位相角の時にオン制御することにより、回転速度が制御される。
【００２８】
例えば耐熱性絶縁基板上に抵抗膜を印刷し、更にその表面を耐熱性絶縁膜で覆うことによって製造されたパネルヒーター４１は、フォトトライアックを使用した公知のソリッドステートリレー（ＳＳＲ）回路８２を介してオンオフ制御されるか、あるいは短周期で所望の比率でオン／オフ制御することにより平均発熱量が制御される。例えば１秒の周期の内、０．５秒のみオンすることにより、平均発熱量は半分になる。
【００２９】
ＣＰＵ７０の備えている調歩同期通信用送受信端子が周知のRS-232Cトランシーバ回路８３を介して通信用コネクタ３２に接続されており、このコネクタにパソコン等を接続することにより、外部において目標値、測定値、制御値等を常時モニタ可能可能であり、更に空調装置を外部から制御することも可能である。
【００３０】
ＡＣ／ＤＣコンバータ７１はＡＣ１００ＶからＤＣ５Ｖを生成する。内部電源スイッチ２４および外部電源スイッチ３０は図示するように接続されており、任意のスイッチを反転させることにより、電源のオン／オフが可能である。これにより、例えば寝るときには外部電源スイッチ３０を操作してオンとし、起きるときには内部電源スイッチ２４を操作してオフにすることができる。
【００３１】
図６は、本発明の就寝装置の制御装置であるＣＰＵ７０の処理内容を示すフローチャートである。電源が投入されると、Ｓ１０においては、メモリやレジスタの初期化を行う。Ｓ１１においては、目標温度および目標湿度設定用可変抵抗器２６、２９の出力電圧を内蔵するＡ／Ｄ変換器を使用して読み込み、目標温度および目標湿度を設定する。
【００３２】
Ｓ１２においては、例えば受信バッファ内に特定の文字コードが受信されているか否かにより、外部から制御信号が受信されたか否かが判定され、判定結果が否定の場合にはＳ１３に移行するが、肯定の場合にはＳ２２に移行する。Ｓ１３においては、空調の制御周期（例えば１秒〜数十秒）が経過したか否かを判定し、判定結果が否定の場合にはＳ１１に戻るが、肯定の場合にはＳ１４に移行する。Ｓ１４においては、温度センサ、湿度センサによって内部温度、内部湿度、外気温度等を測定する。
【００３３】
Ｓ１５においては、カバー内温度センサ４７によって測定した温度が目標温度設定用可変抵抗器２６によって設定された目標温度より所定の値（０以上の任意の値）だけ低い下限温度以下であり、かつ過熱検出用温度センサ４５によって測定した温度が過熱限度以下であるか否かが判定され、判定結果が否定の場合にはＳ１６に移行するが、肯定の場合にはＳ１７に移行する。Ｓ１６においてはヒーター制御値（制御フラグ）を「オフ」に設定する。また、Ｓ１７においてはヒーター制御値（制御フラグ）を「オン」に設定する。
【００３４】
Ｓ１８においては、カバー内温度センサ４７によって測定した温度が目標温度設定用可変抵抗器２６によって設定された目標温度より所定の値（０以上の任意の値）だけ高い上限温度以上であるか否かが判定され、判定結果が否定の場合にはＳ１９に移行するが、肯定の場合にはＳ２１に移行する。Ｓ１９においては、カバー内湿度センサ４８によって測定した湿度が目標湿度設定用可変抵抗器２９によって設定された目標湿度以上であるか否かが判定され、判定結果が否定の場合にはＳ２０に移行するが、肯定の場合にはＳ２１に移行する。
【００３５】
Ｓ２０においては外気導入用ファン５０の制御値（制御フラグ）を「オフ」に設定する。また、Ｓ２１においては外気導入用ファン５０の制御値（制御フラグ）を「オン」に設定する。なお、オンオフ制御ではなく、設定温度あるいは設定湿度と測定値との差分値の大きさや外気温度に応じてファン５０の強度を制御してもよい。
【００３６】
循環用ファンモータ４０は常時オンでもよいし、ヒーターがオンのときには強く、オフのときには弱く、あるいは過熱検出用温度センサ４５によって測定した温度が高いときには強く、低いときには弱くなるように制御してもよい。なお、最低でも所定の回転数を維持するようにする。必要でないときに回転数を落とすことにより、騒音が低下する。
【００３７】
Ｓ２２においては、得られた制御値に基づいて各制御対象を制御する。なお、外部から制御信号を受信した場合にはその制御値に従う。また、電力の大きなヒーターを制御するＳＳＲ８２のオン、オフはゼロクロスの割り込みがかかったタイミングで行うことにより、雑音の発生を抑制する。Ｓ２３においては、目標値、測定値、制御値等の装置情報を文字コードに変換し、RS-232C回線を使用して外部に出力する。
【００３８】
Ｓ２４においては、表示装置であるＬＥＤ２５、３１に情報を表示してＳ１１に戻る。情報としては、例えばヒーターのオン／オフ状態を表示するようにしてもよい。このようにすれば、ＬＥＤは例えば１秒周期で点滅するので電源のオン／オフ状態が認識でき、更にカバー内の温度によって点灯時間が変化するので、ＣＰＵが正常に動作しているか否かをチェックすることができる。
【００３９】
位相角制御によって循環用ファンモータ４０や外気導入用ファン５０の速度（強度）制御を行う場合には、ＣＰＵに内蔵するハードウェアタイマーによって例えば２００マイクロ秒周期の割り込みを発生させる。５０Ｈｚの場合、ゼロクロス周期は１０ミリ秒であるので、ゼロクロスから２００マイクロ秒周期の割り込みの何回目でＳＳＲ８０あるいは８１をオンするかを制御することにより、速度（電力）制御が可能である。
【００４０】
以上のような構成および機能によって、本発明の就寝装置は気温や湿度に関係なく１年を通して常に快適な状態で睡眠できる。発明者は本発明の装置を試作して実験を行った結果、東京において冬はもちろんのこと、夏でも部屋を冷房せずに就寝可能であることを確認できた。
【実施例２】
【００４１】
次に、第２実施例について説明する。図４は、本発明の就寝装置の空調装置の実施例２の内部構成を示す平面図および断面図である。実施例１と実施例２の相違点は外気の導入経路の構造であり、その他の点では差異はない。図３に示す実施例１においては、外気は循環用ファン４０やパネルヒーター４１の上部の空間を通って前面や側面から放出されているが、カバー内部の空間の高さを確保するためには、空調装置の高さ方向の厚さはなるべく薄い方が望ましい。
【００４２】
そこで、図４に示す実施例２においては、外気が循環用ファン４０やパネルヒーター４１の両側面の空間を通って前面や側面から放出されるようにしたものである。実施例２において、外気導入用ファン５０が稼働している場合には、外気がフィルタ２８の半分を通って流入し、循環用ファン４０やパネルヒーター４１の両側面の空間を通って前面外気用吹き出し口６０および側面外気吹き出し口６１からカバー内部へ吹き出す。なお、電源スイッチ２４、温度設定用ボリューム２６等は他の場所に設置する。実施例２においては空調装置１２の横幅は実施例１よりも広がるが、高さを実施例１よりも低くすることができる。
【実施例３】
【００４３】
図７は、本発明の就寝装置の実施例３の使用時の構成を示す平面図および側面図である。実施例１、２においては使用者の首から上の頭部はカバーの外部に出ていたが、冬は室温が低下し、かつ乾燥するので、のどや鼻を痛めたり、顔や首筋が寒いという課題があった。実施例３は実施例１、２の就寝装置に更に使用者の頭部を覆う頭部カバーを追加したものであり、他の部分は実施例１、２と同一である。
【００４４】
頭部カバーは、図７に示すように、頭部カバー布６５、頭部カバー支持フレーム６６、フレーム基台６７からなる。頭部カバー布６５は、例えばガーゼ生地、タオル生地、シーツ生地など、酸素不足にならないようにするため、ある程度通気性のある布製であり、夏場はより通気性の高い蚊帳生地であってもよい。頭部カバー布６５は前垂れ部材１３を覆うように前垂れ部材１３と一緒に前部カバー１０の前部の開口部の周囲に着脱可能に装着される。また、頭部カバー布６５の前部は頭部カバー支持フレーム６６の前部にも固着され、頭部カバー支持フレーム６６を伸ばした場合に、内部に使用者の頭部が収納可能な空間ができ、蚊帳のように頭部を覆う。
【００４５】
頭部カバー支持フレーム６６は例えばコ字状の中空パイプであり、フレーム基台６７内を摺動可能に支持されている。図７、（ａ）、（ｂ）は頭部カバー支持フレーム６６を引き出して伸ばした状態であり、図７（ｃ）は押し込んで縮めた状態を示している。なお、直線的に摺動する代わりに前部カバー１０の前部の開口部の近傍で９０度以上回動可能に構成してもよい。
【００４６】
実施例３の就寝装置によれば、空調装置による外気の導入に伴って、前部カバー１０と使用者の隙間等を通って前部カバー１０内部の暖かい空気が頭部カバーの内部に流入する。また、使用者の息には水蒸気が多く含まれている。そして、これらの空気がある程度の時間頭部カバー内に滞留することによって、頭部カバー内部の空気の温度は外部よりは高く、前部カバー１０内部よりは低くなり、湿度は外部より高くなる。
【００４７】
実施例１、２においても、頭部までカバー１０内に収納して就寝することは可能であるが、カバー１０内の温度は顔に対しては高すぎ、また息によってカバー内が加湿されるので、外気を頻繁に導入する必要があり、消費電力が増加する。実施例３の就寝装置は前記したような課題を解決し、特に気温、湿度が低い冬場において、のどや鼻を痛めることを防止することができ、また顔や首筋が寒くならないという効果がある。
【００４８】
なお、例えば頭部カバー布６５として蚊帳生地を使用することによって、夏場における蚊帳（虫除け）の効果もある。また、実施例３の頭部カバーは空調装置とは分離して単独で実施することも可能である。この場合には前垂れ部材の部分も頭部カバーの材質で一体に形成し、頭部および掛け布団の上に掛かるようにして使用すればよい。
【００４９】
以上、本発明の実施例を開示したが、本発明には下記のような変形例も考えられる。実施例においてはパネルヒーターをダクト３７の上面にのみ設置する例を開示したが、パネルヒーターを上面と下面の両面あるいは側面全面に設置してもよい。パネルヒーターとしては、例えば印刷抵抗膜をヒーターとして使用するものを例示したが、要は加熱体が露出しておらず、表面に突起物等がない滑らかな平面あるいは曲面であり、ダクト内のほこりを除去し易い構造のものであれば任意のヒーターを使用可能である。ヒーターの厚さも任意である。
【産業上の利用可能性】
【００５０】
本発明は就寝装置として実施可能である。
【符号の説明】
【００５１】
１０…前部カバー
１１…後部カバー
１２…空調装置
１３…前垂れ部材
１４…底板
１５…電源コード
１６…換気口
１８…利用者
３５…前面外気吹き出し口
【図１】
2012231820.tif 000003
【図２】
2012231820.tif 000004
【図３】
2012231820.tif 000005
【図４】
2012231820.tif 000006
【図５】
2012231820.tif 000007
【図６】
2012231820.tif 000008
【図７】
2012231820.tif 000009